(57)【要約】      （修正有）【課題】従来のカタログギフトは、贈答できる商品が主として品物に限られ、利用方法、利用範囲等に限界がある上に、新規性や意外性に欠けており、次第に贈答者、受贈者に飽きられる傾向にあって、新規なギフト商品の開発提供が業界の急務とされつつあった。【解決手段】システムの中心的媒体とするためのギフトチケットディナー券（ＧｉｆＴｉｋｅｔ  ｆｏｒ  Ｄｉｎｎｅｒ）を発明し、該ギフトチケットディナー券を媒体として、その販売者・代理店、贈答者（贈り主、購入者）、それをプレゼントされる受贈者（贈られた者、レストラン利用者）、及び、販売者と業務提携したレストラン（レストラン、料理店、ホテル、割烹旅館その他の和・洋・中華・等各種料理・食事等の提供者、）の４者間をシステム化して、全く新規な贈答商品の販売・流通・利用・決済のビジネスシステムである、ギフトチケットディナー券を媒体とするギフトビジネスシステムを開発提供する。【選択図】図１
2004259104.tif 000002
【特許請求の範囲】
【請求項１】
ギフトチケットディナー券を媒体とし、流通システム、利用システム、及び、決済システムから成るギフトビジネスシステムであって、
上記の流通システムは、販売者・代理店、贈答者、受贈者、及び、レストランの間のギフトチケットディナー券の流通のシステムであって、
▲１▼販売者・代理店がギフトチケットディナー券を主としてカタログによる販売手段で贈答者（贈り主）に販売し、
▲２▼贈答者は該ギフトチケットディナー券を受贈者（贈られた者）へプレゼントし、
▲３▼受贈者（レストラン利用者）は該ギフトチケットディナー券をレストランへ渡して料理の提供を受け、
▲４▼レストランは該ギフトチケットディナー券を販売者へ渡して代金の支払いを受けるようにした、ギフトチケットディナー券の流通のシステムであり、
利用システムは、ギフトチケットディナー券の受贈者（贈られた者、レストラン利用者）が該ギフトチケットディナー券をレストランへ渡して料理の提供を受けるシステムであって、
▲１▼受贈者は、レストランカード若しくはリストの中から利用したいレストランを選んで、サービスセンター（販売者、若しくは別設）に予約申込を行い、
▲２▼サービスセンターは当該レストランに予約申込を行い、
▲３▼当該レストランからサービスセンターに予約回答を行い、
▲４▼サービスセンターから受贈者へ予約回答を行って、
▲５▼予約回答を受けた受贈者が予約内容に従ってレストランへ行き、ギフトチケットディナー券を渡して料理の提供をうけるようにした、ギフトチケットディナー券の利用のシステムであり、
決済システムは、販売者・代理店、贈答者、受贈者、及び、レストランの間の金銭決済のシステムであって、
▲１▼贈答者は販売者・代理店に代金を支払ってギフトチケットディナー券を購入し、
▲２▼受贈者からギフトチケットディナー券を受取ったレストランは販売者にギフトチケットディナー券を渡して代金を請求し支払い受けるようにした、ギフトチケットディナー券の決済のシステムであって、
上記の流通システム、利用システム、及び、決済システムを総合してシステム化したことを特徴とする、
ギフトチケットディナー券を媒体とするギフトビジネスシステム。
【請求項２】
ギフトチケットディナー券は本発明システムの中核をなす媒体であって、主として印刷券の形式を採り、ギフト金額によって設定した複数コース用の複数種類を用意したものであり、
ギフトチケットディナー券の価格（即ちギフト金額）は販売者・代理店の利益、提携レストランのランク、提供料理の金額、利用者の人数、サービス料、税金等を勘案して設定したものである、
請求項１のギフトチケットディナー券を媒体とするギフトビジネスシステム。
【請求項３】
ギフトチケットディナー券の販売手段は、カタログによる販売を主とし、それ以外の販売手段も含み、カタログは印刷カタログ、ＣＤカタログ、ネットカタログ及びそれらに類するものを含むものである、
請求項１のギフトチケットディナー券を媒体とするギフトビジネスシステム。
【請求項４】
販売者若しくは代理店は贈答者（→受贈者）にギフトチケットディナー券と共に、提携レストランの店舗、料理、シェフ等の紹介、所在地及びアクセス等を、写真、文章、地図等で表したレストランカード（レストラン毎の複数枚のカード）若しくはリスト（複数のレストランを掲載）を渡し、受贈者は複数のレストランの中から希望のレストランを選んで、サービスセンターに予約申込を行うようにしたものである、
請求項１のギフトチケットディナー券を媒体とするギフトビジネスシステム。
【請求項５】
レストランは、販売者と業務提携したレストラン、料理店、ホテル、割烹旅館等の和、洋、中華、その他の各種料理・食事等の提供者である、
請求項１のギフトチケットディナー券を媒体とするギフトビジネスシステム。
【発明の詳細な説明】
【０００１】
【産業上の利用分野】
本発明は、ギフトチケットディナー券（ギフトチケットディナー券、ギフトチケット、ディナーギフト券、ＧｉｆＴｉｋｅｔ  ｆｏｒ  Ｄｉｎｎｅｒ等その具体的な名称は任意であるが、以下、ギフトチケットディナー券と記す。）を媒体とし、該ギフトチケットディナー券の販売者・代理店、贈答者（購入者）、贈答者からプレゼントされる受贈者（レストラン利用者）、及び、販売者と提携したレストランの４者間をシステム化した、全く新規な贈答商品の販売・流通・利用・決済のビジネスシステムである、ギフトチケットディナー券を媒体とするギフトビジネスシステムを提供する。
【０００２】
【従来の課題】
冠婚葬祭、各種記念、お歳暮、お中元、その他の行事等における贈答等に、設定金額の各種品物、金券（ギフト券、ギフトチケット、ギフトカード、ギフトクーポン、商品券等）等を用いるのに代えて、設定金額（例、５０００円、１００００円等）の種々の商品を掲載したカタログを贈り、受贈者（贈られた者）がそのカタログから選んだものを貰えるようにした、所謂カタログギフトが広く行われている。
【０００３】
ところが、上記カタログギフトは、カタログ通販に類似した一種の通販システムであって、贈答できる商品が主として品物に限られており、利用方法、利用範囲等に限界がある上に、新規性や意外性に欠けており、次第に贈答者、受贈者に飽きられる傾向にあって、新規なギフト商品の開発提供が業界の急務とされつつあった。
また、此れまでにも、旅行券、食事券等をギフト商品として用いることが一部で行われていたが、利用方法、利用範囲等のソフトの開発提供が全く遅れているため、あまり一般的に普及されていなかった。
【０００４】
一方、近来のグルメブームはエスカレートする一方であって、四六時中マスコミはもとより普通の人達の間でも、その種の情報が錯綜しているのが現状であり、例えば、何所其処の有名なレストランの料理、何々料理を食べて見たい、と考えている人は常時多数存在している一方で、自分のレストランの料理を大勢の色々な人に食べて見て欲しいと思い、店をより以上繁盛させたいと願っている人も常時多数存在している。
【０００５】
なお本願では、レストラン、料理店、ホテル、割烹旅館等の和、洋、中華、その他の各種料理・食事等の提供者を、単に「レストラン」と記す。
【０００６】
他方、前記の冠婚葬祭その他の何らかの事情で、贈答することが必要な人（自然人、法人）も常時多数存在している。
特に贈答する側からすると、従来のありふれた品物やカタログギフトでは飽き足らず、贈られた人から喜ばれるような目先の変わったギフトを希望する場合が多い。
【発明が解決した課題】
【０００７】
そこで、本発明は、従来のギフト方式等に代るようなギフト方式を検討し、また、従来のカタログギフト方式と近時の所謂グルメブームをビジネスとして連携することを種々思索、研究した結果、システムの中心的媒体とするためのギフトチケットディナー券（ＧｉｆＴｉｋｅｔ  ｆｏｒ  Ｄｉｎｎｅｒ）を発明したものであり、該ギフトチケットディナー券を媒体として、その販売者・代理店、贈答者（贈り主、購入者）、それをプレゼントされる受贈者（贈られた者、レストラン利用者）、及び、販売者と業務提携したレストラン（レストラン、料理店、ホテル、割烹旅館その他の和・洋・中華・等各種料理・食事等の提供者、）の４者間をシステム化して、全く新規な贈答商品の販売・流通・利用・決済のビジネスシステムである、ギフトチケットディナー券を媒体とするギフトビジネスシステムを開発提供して、従来の課題を解決したものである。
【０００８】
【課題を解決する手段】
即ち、本発明は、ギフトチケットディナー券を媒体とし、流通システム、利用システム、及び、決済システムから成るギフトビジネスシステムであって、
【０００９】
上記の流通システムは、販売者・代理店、贈答者、受贈者、及び、レストランの間のギフトチケットディナー券の流通のシステムであって、
▲１▼販売者・代理店がギフトチケットディナー券を主としてカタログによる販売手段で贈答者（贈り主）に販売し、
▲２▼贈答者は該ギフトチケットディナー券を受贈者（贈られた者）へプレゼントし、
▲３▼受贈者（レストラン利用者）は該ギフトチケットディナー券をレストランへ渡して料理の提供を受け、
▲４▼レストランは該ギフトチケットディナー券を販売者へ渡して代金の支払いを受けるようにした、ギフトチケットディナー券の流通のシステムであり、
【００１０】
利用システムは、ギフトチケットディナー券の受贈者（贈られた者、レストラン利用者）が該ギフトチケットディナー券をレストランへ渡して料理の提供を受けるシステムであって、
▲１▼受贈者は、レストランカード若しくはリストの中から利用したいレストランを選んで、サービスセンター（販売者、若しくは別設）に予約申込を行い、
▲２▼サービスセンターは当該レストランに予約申込を行い、
▲３▼当該レストランからサービスセンターに予約回答を行い、
▲４▼サービスセンターから受贈者へ予約回答を行って、
▲５▼予約回答を受けた受贈者が予約内容に従ってレストランへ行き、ギフトチケットディナー券を渡して料理の提供をうけるようにした、ギフトチケットディナー券の利用のシステムであり、
【００１１】
決済システムは、販売者・代理店、贈答者、受贈者、及び、レストランの間の金銭決済のシステムであって、
▲１▼贈答者は販売者・代理店に代金を支払ってギフトチケットディナー券を購入し、
▲２▼受贈者からギフトチケットディナー券を受取ったレストランは販売者にギフトチケットディナー券を渡して代金を請求し支払い受けるようにした、ギフトチケットディナー券の決済のシステムであって、
【００１２】
上記の流通システム、利用システム、及び、決済システムを総合してシステム化したことを特徴とする、ギフトチケットディナー券を媒体とするギフトビジネスシステムによって、従来の課題を解決したものである。
【００１３】
【実施例】
以下、本発明の実施例を説明する。
ギフトチケットディナー券１（図２）を媒体とし、流通システム、利用システム、及び、決済システムから成るギフトビジネスシステム（システム全体を示す図１を参照）であって、
【００１４】
上記の流通システム
（図１の上欄を参照）  は、販売者・代理店、贈答者、受贈者、及び、レストランの間のギフトチケットディナー券１の流通のシステムであって、
▲１▼販売者・代理店がギフトチケットディナー券１を主としてカタログによる販売手段で贈答者（贈り主）に販売し、
▲２▼贈答者は該ギフトチケットディナー券１を受贈者（贈られた者）へプレゼントし、
▲３▼受贈者（レストラン利用者）は該ギフトチケットディナー券１をレストランへ渡して料理の提供を受け、
▲４▼レストランは該ギフトチケットディナー券１を販売者へ渡して代金の支払いを受けるようにした、ギフトチケットディナー券１の流通のシステムであり、
【００１５】
利用システム（図１の中欄を参照）は、ギフトチケットディナー券１の受贈者（贈られた者、レストラン利用者）が該ギフトチケットディナー券１をレストランへ渡して料理の提供を受けるシステムであって、
▲１▼受贈者は、レストランカード２（図３）若しくはリストの中から利用したいレストランを選んで、サービスセンター（販売者、若しくは別設）に予約申込を行い、
▲２▼サービスセンターは当該レストランに予約申込を行い、
▲３▼当該レストランからサービスセンターに予約回答を行い、
▲４▼サービスセンターから受贈者へ予約回答を行って、
▲５▼予約回答を受けた受贈者が予約内容に従ってレストランへ行き、ギフトチケットディナー券１とレストランカード２を渡して料理の提供をうけるようにした、ギフトチケットディナー券１の利用のシステムであり、
【００１６】
決済システム（図１の下欄を参照）は、販売者・代理店、贈答者、受贈者、及び、レストランの間の金銭決済のシステムであって、
▲１▼贈答者は販売者・代理店に代金を支払ってギフトチケットディナー券１を購入し、
▲２▼受贈者からギフトチケットディナー券１を受取ったレストランは販売者にギフトチケットディナー券１を渡して代金を請求し支払い受けるようにした、ギフトチケットディナー券１の決済のシステムであって、
【００１７】
上記の流通システム、利用システム、及び、決済システムを総合してシステム化したことを特徴とする、ギフトチケットディナー券を媒体とするギフトビジネスシステムである。
【００１８】
上記本発明システムにおいて、ギフトチケットディナー券１は本発明システムの中核をなす媒体であって、主として印刷券の形式を採り、ギフト金額によって設定した複数コース用の複数種類を用意したものであり  （図２はその１例）  、  ギフトチケットディナー券の価格（即ちギフト金額）は販売者・代理店の利益、提携レストランのランク、提供料理の金額、利用者の人数、サービス料、税金等を勘案して設定する。
【００１９】
上記ギフトチケットディナー券１は主としてカタログにより販売する。なお、カタログには印刷カタログ、ＣＤカタログ、ネットカタログ及びそれらに類するものを含むものである。
また、販売手段は上記の他、ギフトチケットディナー券１を販売する手段であれば任意である。
販売者若しくは代理店は贈答者（→受贈者）にギフトチケットディナー券１と共に、提携レストランの店舗、料理、シェフ等の紹介、所在地及びアクセス等を、写真、文章、地図等で表したレストランカード２（レストラン毎の複数枚のカード）（図３は１例）、若しくはリスト（複数のレストランを掲載。図示せず。）を渡し、受贈者は複数のレストランの中から希望のレストランを選んで、サービスセンターに予約申込を行うものである。
【００２０】
レストランは、販売者と業務提携したレストラン、料理店、ホテル、割烹旅館等の和、洋、中華、その他の各種料理・食事等の提供者である。
【００２１】
実施例では、販売者は販売時に、
▲１▼挨拶状（図５は１例）、
▲２▼ギフトチケットディナー券（図２は１例）、
▲３▼レストランカード（図３は１例）（複数の提携レストラン毎の複数枚のカード、例えば８レストランの場合、８枚）を、
▲４▼スリーブケース（図４は１例）に入れて販売する。
【００２２】
【効果】
贈答者は、予算や受贈者のシチュエーションに合わせて、ギフトチケットディナー券のコースを幅広く自由に選択できる。
【００２３】
受贈者は、レストランカード等に掲載された多数の提携レストランから行ってみたいレストランを自由に選んで出向き、ギフトチケットディナー券と引き換えにシェフのお薦め料理を楽しめる。
【００２４】
サービスセンターが、受贈者が安心して楽しめるように、レストランとの調整等をきめ細かく行うので、受贈者は安心して料理を楽しむことができる。
【００２５】
即ち、本発明ギフトチケットディナー券は、贈答者から受贈者へプレゼントして、＜訪れる＞、＜特別な日＞を演出する、夢のあるギフトチケットであり、これは従来のギフト（カタログギフト、各種金券等）では全く実現不可能なことである。
【図面の簡単な説明】
【図１】本発明システムを示すダイヤグラム。
【図２】ギフトチケットディナー券の実施例の表面図、及び裏面図。
【図３】レストランカードの実施例の表面図、及び裏面図。
【図４】スリーブケースの実施例の表面図。
【図５】挨拶状の実施例の表面図。
【符号の説明】
１    ギフトチケットディナー券
２    レストランカード
３    スリーブケース
４    挨拶状
【図１】
2004259104.tif 000003
【図２】
2004259104.tif 000004
【図３】
2004259104.tif 000005
【図４】
2004259104.tif 000006
【手続補正書】
【提出日】平成15年4月23日(2003.4.23)
【手続補正１】
【補正対象書類名】図面
【補正対象項目名】全図
【補正方法】変更
【補正の内容】
【図１】
2004259104.tif 000007
【図２】
2004259104.tif 000008
【図３】
2004259104.tif 000009
【図４】
2004259104.tif 000010
【図５】
2004259104.tif 000011